(57)【要約】      （修正有）【課題】本考案は、タックを剥がした後のタックシート材料が台紙としての価値でなく、クリアホルダーとして使用することにより、通常のクリアホルダーよりも利便性を高めたクリアホルダーになり、且つ印刷を施すことでより宣伝広告効果を得られることができる。【解決手段】本考案は、裏面に粘着部を持つラベルシートと剥離紙からなるタックシートを、プラスチックシートのクリアホルダーと同じく印刷と抜きと圧着の加工を施すことにより、タックシールとしてもクリアホルダーとしても使用できることを可能になる。また、宣伝広告効果をより高めるために印刷を施す。【選択図】図１
0003129117.tif 000002
【実用新案登録請求の範囲】
【請求項１】
裏面に粘着部を持つラベルシートと剥離紙からなるタックシートを、プラスチックシートのクリアホルダーと同じく印刷と抜きと圧着の加工を施すことにより、タックシールとしてもクリアホルダーとしても使用できることを可能にするタックシール機能付きクリアホルダー。
【請求項２】
前記の仕様で、抜き加工においてラベル部を抜き加工し、剥離紙は抜きをしないハーフカットの加工を施すことにより、シール部を剥がしても剥離紙が残るためクリアホルダーとしての機能を失わない形を有する請求項１記載のタックシール機能付きクリアホルダー。
【考案の詳細な説明】
【技術分野】
【０００１】  本考案は主として、フイルムシート材料に対して多目的に使用できる利便性の高いノベルティー商品に関する。
【背景技術】
【０００２】  従来のクリアホルダーは、クリアホルダーとしてだけの使用方法しかなかったため、機能性が多分にはなかった。また、タックシールもシールを剥がしてしまうと剥離紙は不要なものになっていた。【０００３】  従来のタックシールはシール部を剥がしてしまうと残りの部分は再利用ができなかった。
【考案が解決しようとする課題】
【０００４】    本考案は、クリアホルダーとして使用できるだけでなく、タックシールとしても使用できることで、一つのクリアホルダーの中にシールとしての機能を加えることができるだけでなく、クリアホルダーの特性を活かしたままクリアホルダーとしても使用できる。また、印刷を施すことにより宣伝広告効果を得られることができる。
【課題を解決するための手段】
【０００５】  本考案は、裏面に粘着部を持つラベルシートと剥離紙からなるタックシートをクリアホルダーとして抜きと圧着の加工をすることにより、タックシールでありながらクリアホルダーとしても使用することができる。
また、材料シートに宣伝広告印刷を施すことにより、より高い宣伝広告効果を出すことができる。
【考案実施の形態】
【０００６】  図１は本考案の裏面に粘着部を持つラベルシート（１）と剥離紙（２）からなるタックシートを、プラスチックシートのクリアホルダーと同じく印刷と抜きと圧着の加工を施したタックシール機能付きクリアホルダー（Ｆ）の視図である。絵柄を印刷した印刷部（Ａ）はタックシール機能付きクリアホルダー表面（１）の表面から表刷印刷をしている。図１でタックシール機能付きクリアホルダー（Ｆ）の左辺（ａ）は山折になっており、底辺（ｂ）は圧着されている。そのため左辺（ａ）と底辺（ｂ）は閉じた状態になっている。上辺（ｄ）と右辺（ｃ）は開口しているため、ここから書類等を出し入れすることができる。
タックシール機能付きクリアホルダー（Ｆ）の表面には絵柄の印刷部（Ａ）と抜型でハーフカット（ｅ）されて円状部（ｆ）が形成されている。円状部（ｆ）はラベルシートのみ切られているため、ラベルシートと剥離紙は付いた状態になっているが、取り外すこともできる。そのため円状（Ａ）部を取り外しても剥離紙部（２）は残るため、クリアホルダーとしての特性は損なわない。
図２はタックシール機能付きクリアホルダーの断面図にあたる。円状部は複数つけることも、円以外の形にすることも可能であるが、それぞれのハーフカット（ｅ）された部分を取り外すと、シールとして使用できる。図３はタックシール機能付きクリアホルダー（Ｆ）から取り外された円状部（ｆ）である。
また、タックシール機能付きクリアホルダーの表面（１）から宣伝広告用の印刷（図示せず）を施すことで、宣伝効果の高いノベルティー商品や販売促進商品等としても使用することができる。
剥離紙に光透過性を有する樹脂材料シートの素材を使用することで、印刷デザイ面積を少なくして中に入れている書類等を見せることもできる。
【考案の効果】
【０００７】  本考案は、クリアホルダーとして利用でき、更にクリアホルダー表面部がタックシールの構造になっているためシール材料としても使用することができる。また、シールの台紙にあたる剥離紙は、シールを剥がしていても剥がした後でもクリアホルダーとして使用することができる。
且つ、シール部に印刷されることによってシール単体としても、シール部以外の部分もクリアホルダーとして使用後も宣伝広告が可能である。
【図面の簡単な説明】
【図１】  本考案の印刷物であるタックシール機能付きクリアホルダーの視図。
【図２】    図１のタックシール機能付きクリアホルダーの断面図。
【符号の説明】
Ｆ  印刷物であるタックシール機能付きクリアホルダー
Ａ  ハーフカットされ、印刷をされた円状部
１  タックシール機能付きクリアホルダーのラベルシート部
２  タックシール機能付きクリアホルダーの剥離紙
ａ    左辺
ｂ    下辺
ｃ    右辺
ｄ    上辺
ｅ    ハーフカット部
ｆ    ハーフカットされた円状部
【図１】
0003129117.tif 000003
【図２】
0003129117.tif 000004
【図３】
0003129117.tif 000005
【手続補正書】
【提出日】平成18年11月24日(2006.11.24)
【手続補正１】
【補正対象書類名】明細書
【補正対象項目名】全文
【補正方法】変更
【補正の内容】
【考案の詳細な説明】
【技術分野】
【０００１】  本考案は主として、フイルムシート材料に対して多目的に使用できる利便性の高いノベルティー商品に関する。
【背景技術】
【０００２】  従来のクリアホルダーは、クリアホルダーとしてだけの使用方法しかなかったため、機能性が多分にはなかった。また、タックシールもシールを剥がしてしまうと剥離紙は不要なものになっていた。【０００３】  従来のタックシールはシール部を剥がしてしまうと残りの部分は再利用ができなかった。
【考案が解決しようとする課題】
【０００４】    本考案は、クリアホルダーとして使用できるだけでなく、タックシールとしても使用できることで、一つのクリアホルダーの中にシールとしての機能を加えることができるだけでなく、クリアホルダーの特性を活かしたままクリアホルダーとしても使用できる。また、印刷を施すことにより宣伝広告効果を得られることができる。
【課題を解決するための手段】
【０００５】  本考案は、裏面に粘着部を持つラベルシートと剥離紙からなるタックシートをクリアホルダーとして抜きと圧着の加工をすることにより、タックシールでありながらクリアホルダーとしても使用することができる。
また、材料シートに宣伝広告印刷を施すことにより、より高い宣伝広告効果を出すことができる。
【考案実施の形態】
【０００６】  図１は本考案の裏面に粘着部を持つラベルシート（１）と剥離紙（２）からなるタックシートを、プラスチックシートのクリアホルダーと同じく印刷と抜きと圧着の加工を施したタックシール機能付きクリアホルダー（Ｆ）の視図である。絵柄を印刷した印刷部（Ａ）はタックシール機能付きクリアホルダー表面（１）の表面から表刷印刷をしている。図１でタックシール機能付きクリアホルダー（Ｆ）の左辺（ａ）は山折になっており、底辺（ｂ）は圧着されている。そのため左辺（ａ）と底辺（ｂ）は閉じた状態になっている。上辺（ｄ）と右辺（ｃ）は開口しているため、ここから書類等を出し入れすることができる。
タックシール機能付きクリアホルダー（Ｆ）の表面には絵柄の印刷部（Ａ）を抜型でハーフカット（ｅ）されて円状部（ｆ）が形成されている、円状部（ｆ）はラベルシートのみ切られているため、ラベルシートと剥離紙は付いた状態になっているが、取り外すこともできる。そのため円状（Ａ）部を取り外しても剥離紙部（２）は残るため、クリアホルダーとしての特性は損なわない。
図２はタックシール機能付きクリアホルダーの断面図にあたる。円状部は複数つけることも、円以外の形にすることも可能であるが、それぞれのハーフカット（ｅ）された部分を取り外すと、シールとして使用できる。図３はタックシール機能付きクリアホルダー（Ｆ）から取り外された円状部（ｆ）である。
また、タックシール機能付きクリアホルダーの表面（１）から宣伝広告用の印刷（図示せず）を施すことで、宣伝効果の高いノベルティー商品や販売促進商品等としても使用することができる。
剥離紙に光透過性を有する樹脂材料シートの素材を使用することで、印刷デザイ面積を少なくして中に入れている書類等を見せることもできる。
【考案の効果】
【０００７】  本考案は、クリアホルダーとして利用でき、更にクリアホルダー表面部がタックシールの構造になっているためシール材料としても使用することができる。また、シールの台紙にあたる剥離紙は、シールを剥がしていても剥がした後でもクリアホルダーとして使用することができる。
且つ、シール部に印刷されることによってシール単体としても、シール部以外の部分もクリアホルダーとして使用後も宣伝広告が可能である。
【図面の簡単な説明】
【図１】    本考案の印刷物であるタックシール機能付きクリアホルダーの視図。
【図２】    図１のタックシール機能付きクリアホルダーの断面図。
【図３】    図１から剥がしたシール部分の視図。
【符号の説明】
Ｆ  印刷物であるタックシール機能付きクリアホルダー
Ａ  ハーフカットされ、印刷をされた円状部
１  タックシール機能付きクリアホルダーのラベルシート部
２  タックシール機能付きクリアホルダーの剥離紙
ａ    左辺
ｂ    下辺
ｃ    右辺
ｄ    上辺
ｅ    ハーフカット部
ｆ    ハーフカットされた円状部